【手続補正書】
【提出日】平成18年5月26日(2006.5.26)
【手続補正１】
【補正対象書類名】明細書
【補正対象項目名】特許請求の範囲
【補正方法】変更
【補正の内容】
【特許請求の範囲】
【請求項１】
遊技球が案内される遊技領域と、前記遊技領域において、遊技球が入球可能な少なくとも１つの特定入球手段と、前記特定入球手段へ遊技球が入球した旨を検出する特定入球検出手段と、前記特定入球検出手段の検出を契機として、遊技者にとって有利な特別遊技状態を発生させるか否かの抽選を行うとともに前記抽選の結果に基づいて、遊技状態を決定し、当該決定内容を含む情報信号の出力制御等の各種制御を行う遊技状態決定制御手段と、
前記遊技状態決定制御手段からの情報信号の入力に基づき、識別情報を変動表示可能な可変表示装置における表示態様を決定し、前記識別情報を変動表示させるとともに所定の表示態様を表示させ、所定時間後、前記抽選の結果に基づいて停止表示させる表示制御手段とを具備した遊技機において、
前記識別情報の変動表示に関する複数種の種別情報を記憶する種別情報記憶手段と、
前記特定入球検出手段の検出に基づいて前記種別情報記憶手段から種別情報を抽出する種別情報抽出手段と、
前記種別情報抽出手段により抽出された種別情報を、当該種別情報に基づく変動表示を開始する際に出力する出力手段と、
前記出力手段によって出力される種別情報の内容を記憶する変動記憶手段と、
前記変動記憶手段に記憶されている種別情報の内容を判別する種別情報判別手段と、
前記種別情報判別手段による判別の結果に基づいて、前記種別情報抽出手段によって抽出される種別情報の内容を変更する種別情報変更手段とを備え、
第１の種別情報が前記種別情報抽出手段によって抽出され、かつ所定の条件が成立した場合には、前記第１の種別情報に基づいた第１の変動表示が行われるに際して、前記第１の変動表示の後に第２の種別情報に基づいた第２の変動表示が行われることを示唆する第１の制御を行うとともに、前記第１の種別情報の後に前記種別情報抽出手段によって前記第２の種別情報を抽出する第２の制御を行うことを特徴とする遊技機。
【請求項２】
遊技球が案内される遊技領域と、前記遊技領域において、遊技球が入球可能な少なくとも１つの特定入球手段と、前記特定入球手段へ遊技球が入球した旨を検出する特定入球検出手段と、前記特定入球検出手段の検出を契機として、遊技者にとって有利な特別遊技状態を発生させるか否かの抽選を行うとともに前記抽選の結果に基づいて、遊技状態を決定し、当該決定内容を含む情報信号の出力制御等の各種制御を行う遊技状態決定制御手段と、
前記遊技状態決定制御手段からの情報信号の入力に基づき、識別情報を変動表示可能な可変表示装置における表示態様を決定し、前記識別情報を変動表示させるとともに所定の表示態様を表示させ、所定時間後、前記抽選の結果に基づいて停止表示させる表示制御手段とを具備した遊技機において、
前記識別情報の変動表示に関する複数種の種別情報を記憶する種別情報記憶手段と、
前記特定入球検出手段の検出に基づいて前記種別情報記憶手段から種別情報を抽出する種別情報抽出手段と、
前記種別情報抽出手段により抽出された種別情報を、当該種別情報に基づく変動表示を開始する際に出力する出力手段と、
前記出力手段によって出力される種別情報の内容を記憶する変動記憶手段と、
前記種別情報抽出手段により抽出される識別情報を限定する種別情報限定手段とを備え、
前記特定入球検出手段の第１の検出に基づいて、第１の種別情報が前記種別情報抽出手段によって抽出され、かつ所定の条件が成立した場合には、前記第１の種別情報に基づいた第１の変動表示が行われるに際して、前記第１の変動表示の後に第２の種別情報に基づいた第２の変動表示が行われることを示唆する第１の制御を行うとともに、
前記第１の変動表示の後に前記第２の変動表示を行うべく、前記第１の検出よりも後の前記特定入球検出手段の第２の検出に際し、前記種別情報抽出手段が前記種別情報限定手段に基づいて前記第２の種別情報を抽出する第２の制御を行うことを特徴とする遊技機。
【請求項３】
遊技球が案内される遊技領域と、前記遊技領域において、遊技球が入球可能な少なくとも１つの特定入球手段と、前記特定入球手段へ遊技球が入球した旨を検出して検出信号を出力する特定入球検出手段と、
前記特定入球検出手段からの検出信号の出力に基づき、遊技者にとって有利な特別遊技状態を発生させるか否かの抽選を行うとともに前記抽選の結果に基づいて、遊技状態を決定し、当該決定内容を含む情報信号の出力制御等の各種制御を行う遊技状態決定制御手段と、
前記遊技状態決定制御手段からの情報信号の出力に基づき、識別情報を変動表示可能な可変表示装置における表示態様を決定し、前記識別情報を変動表示させるとともに所定の表示態様を表示させ、所定時間後、前記抽選の結果に基づいて停止表示させる表示制御手段とを具備した遊技機において、
前記識別情報の変動表示に関する複数種の種別情報を記憶する種別情報記憶手段と、
前記特定入球検出手段による検出に基づいて前記種別情報記憶手段から種別情報を抽出する種別情報抽出手段と、
前記種別情報抽出手段により抽出された種別情報を、当該種別情報に基づく変動表示を開始する際に出力する出力手段と、
前記種別情報抽出手段が抽出する種別情報を限定することにより、抽出される種別情報に基づいて行われる複数の変動表示を互いに関連させる種別情報限定手段と、
前記種別情報限定手段により互いに関連付けられ、連続的又は断続的に行われる前記複数の変動表示において、関連付けされた変動表示が後続することを示唆する連続示唆を行うか否かを決定する連続示唆抽選手段と、
前記連続示唆抽選手段によって前記連続示唆を行わないことが決定された場合には非待機状態とされ、前記連続示唆抽選手段によって前記連続示唆を行うことが決定された場合に非待機状態から待機状態に変更される連続示唆記憶手段とを備え、
第１の検出に基づき種別情報が抽出されるのに際し、前記連続示唆記憶手段が待機状態である場合には、第１の種別情報が前記種別情報抽出手段によって抽出されると共に当該第１の種別情報に基づいた第１の変動表示を行い、さらに当該第１の変動表示が行われるのに際して後続する第２の変動表示が行われることを示唆する第１の制御を行い、
当該第１の制御が行われた変動表示の契機となった前記第１の検出よりも後の検出である第２の検出に基づき種別情報が抽出されるのに際し、前記種別情報限定手段に基づいて前記種別情報抽出手段が前記第２の変動表示に対応する第２の種別情報を抽出する第２の制御を行い、
前記第２の検出に基づく前記抽選の結果が特別遊技状態を発生させる結果となった場合には、前記連続示唆記憶手段を非待機状態に変更して前記第１の制御を行わないことを特徴とする遊技機。
【請求項４】
前記第２の種別情報は、前記複数種の種別情報のうち、抽出される割合が前記第１の種別情報よりも少なく設定されている種別情報のいずれかであることを特徴とする請求項１乃至３のいずれかに記載の遊技機。
【請求項５】
前記特定入球検出手段の１回の検出につき、前記第２の制御を何回行うかを決定する回数設定手段と、前記第２の制御が行われる回数に対応する一連の各種種別情報群が設定されている種別情報記憶手段とを有し、前記回数設定手段によって決定された回数に基づいて、前記種別情報記憶手段を参酌して種別情報が決定されることを特徴とする請求項１乃至４のいずれかに記載の遊技機。
【請求項６】
前記回数設定手段により決定された回数だけ行われる前記第２の制御のうち最後に行われる前記第２の制御においては、その他の前記第２の制御において参酌される種別情報記憶手段とは別の特別種別情報記憶手段が参酌されることを特徴とする請求項５に記載の遊技機。
【請求項７】
前記第１の変動表示後の何回目の変動表示を、前記第２の変動表示とするかを決定する対象決定手段を具備することを特徴とする請求項１乃至６のいずれかに記載の遊技機。